(57)【特許請求の範囲】
【請求項１】
カップ形状に形成され、親水性の内層と液不透過性の外層から構成された本体部と、
前記本体部の一部から前記外層が延在することにより形成されたウィング部を有することを特徴とする男性用失禁パッド。
【請求項２】
前記本体部は、陰茎と陰嚢を収容するものである請求項１に記載の男性用失禁パッド。
【請求項３】
前記ウィング部は、前記本体部の両側から着用者の左右方向にそれぞれ延在する請求項１または２に記載の男性用失禁パッド。
【請求項４】
前記ウィング部は、着用者の左上方向または右上方向に延在する請求項３に記載の男性用失禁パッド。
【請求項５】
前記ウィング部は、前記本体部から着用者の上方向に延在する請求項１〜４のいずれか一項に記載の男性用失禁パッド。
【請求項６】
前記ウィング部は、着用者の前側に当てられ、着用者の背側まで延在しないものである請求項１〜５のいずれか一項に記載の男性用失禁パッド。
【請求項７】
前記ウィング部の肌面側はエンボス加工されている請求項１〜６のいずれか一項に記載の男性用失禁パッド。
【請求項８】
前記本体部の前記内層と前記外層の間に液吸収体が設けられている請求項１〜７のいずれか一項に記載の男性用失禁パッド。
【発明の詳細な説明】
【技術分野】
【０００１】
本発明は、男性用失禁パッドに関するものである。
【背景技術】
【０００２】
従来、男性器に宛がって用いられる男性用失禁パッドが知られている。例えば特許文献１には、カップ形状に形成された男性用失禁パッドが開示されている。
【先行技術文献】
【特許文献】
【０００３】
【特許文献１】特開平１０−５０４４８８号公報
【発明の概要】
【発明が解決しようとする課題】
【０００４】
しかし、特許文献１に開示される男性用失禁パッドは、着用者の男性器を中に収容して股間に配置すると、男性用失禁パッドが着用者の股間でずれて、股間での収まりが悪くなる場合がある。本発明は前記事情に鑑みてなされたものであり、その目的は、着用者の股間でずれにくく、股間での収まりが良好な男性用失禁パッドを提供することにある。
【課題を解決するための手段】
【０００５】
前記課題を解決することができた本発明の男性用失禁パッドとは、カップ形状に形成された本体部と、本体部の一部から延在するウィング部を有するところに特徴を有する。本発明の男性用失禁パッドは、本体部で男性器を収容でき、本体部から延在するウィング部が着用者の肌とパンツとの間で好適に固定されるようになる。そのため、男性用失禁パッドは着用者の股間でずれにくくなり、股間での収まりが良くなる。
【０００６】
本体部は、陰茎と陰嚢を収容するものであることが好ましい。本体部が陰茎と陰嚢の両方を収容できるものであれば、男性用失禁パッドは、男性器を収容した状態で着用者の股間に好適に収まりやすくなる。
【０００７】
ウィング部は、本体部の両側から着用者の左右方向にそれぞれ延在することが好ましい。このようにウィング部が設けられていれば、ウィング部が着用者の肌とパンツとの間で好適に固定され、男性用失禁パッドが着用者の股間でずれにくくなる。
【０００８】
ウィング部は、着用者の左上方向または右上方向に延在することが好ましい。このようにウィング部が延在していれば、ウィング部を着用者のそけい部に沿って当てやすくなり、着用者が歩行等して脚を動かしても男性用失禁パッドが着用者の股間でずれにくくなる。
【０００９】
ウィング部は、着用者の前側に当てられ、着用者の背側まで延在しないものであることが好ましい。ウィング部が着用者の背側まで延在するものであれば、ウィング部が長すぎて男性用失禁パッドが着用者の股間でずれやすくなる。しかし、ウィング部が着用者の前側に当てられ、着用者の背側まで延在しないものであれば、ウィング部は着用者の肌とパンツとの間に好適に固定されやすくなる。
【００１０】
ウィング部の肌面側はエンボス加工されていることが好ましい。ウィングの肌側面がエンボス加工されていれば、ウィング部と肌との間の摩擦が増えて、ウィング部が肌に対し滑りにくくなる。
【００１１】
本体部は親水性の内層と液不透過性の外層から構成されていることが好ましい。本体部がこのように構成されていれば、着用者から不用意に排泄された尿が内層で吸収され、内層で吸収された尿は外層の外側に漏れることが防止される。
【００１２】
ウィング部は本体部の外層が延在して形成されることが好ましい。このようにウィング部が形成されていれば、ウィング部を本体部と一体化して扱いやすくなるとともに、本体部の内層が尿を吸収してもウィング部がドライに保たれやすくなる。
【００１３】
本体部の内層と外層の間には、液吸収体が設けられていることが好ましい。本体部に液吸収体が備えられていれば、着用者から多量の尿が排泄されても、尿を外層の外側に漏らすことなく、液吸収体に尿を固定することができるようになる。
【発明の効果】
【００１４】
本発明の男性用失禁パッドは、本体部で男性器を収容でき、本体部から延在するウィング部が着用者の肌とパンツとの間で好適に固定されるようになる。そのため、男性用失禁パッドは着用者の股間でずれにくくなり、股間での収まりが良くなる。
【図面の簡単な説明】
【００１５】
【図１】本発明の男性用失禁パッド（第１実施態様）の斜視図を表す。
【図２】本発明の男性用失禁パッド（第１実施態様）の平面図を表す。
【図３】本発明の男性用失禁パッド（第２実施態様）の斜視図を表す。
【図４】本発明の男性用失禁パッド（第２実施態様）の平面図を表す。
【図５】本発明の男性用失禁パッド（第３実施態様）の斜視図を表す。
【図６】本発明の男性用失禁パッド（第３実施態様）の平面図を表す。
【図７】本発明の男性用失禁パッド（第４実施態様）の斜視図を表す。
【図８】本発明の男性用失禁パッド（第４実施態様）の平面図を表す。
【図９】図８に示した男性用失禁パッドのＡ−Ａ断面図を表す。
【図１０】本発明の男性用失禁パッド（第５実施態様）の斜視図を表す。
【図１１】本発明の男性用失禁パッド（第５実施態様）の平面図を表す。
【図１２】図１１に示した男性用失禁パッドのＢ−Ｂ断面図を表す。
【図１３】本発明の男性用失禁パッド（第６実施態様）の平面図を表す。
【図１４】本発明の男性用失禁パッド（第７実施態様）の平面図を表す。
【発明を実施するための形態】
【００１６】
本発明の男性用失禁パッドは、カップ形状に形成された本体部と、本体部の一部から延在するウィング部を有する。男性用失禁パッドは、本体部に男性器を収容でき、本体部から延在するウィング部が着用者の肌とパンツとの間で好適に固定される。男性用失禁パッドは、ウィング部が着用者の肌の面とパンツの面とで挟まれることにより本体部がずれにくくなり、男性用失禁パッドの着用者の股間での収まりが良くなる。
【００１７】
本体部は一方側に膨らんだカップ形状を有しており、カップ形状の内側に男性器を収容する。好ましくは、本体部は陰茎と陰嚢を収容する。本体部が陰茎と陰嚢の両方を収容できるものであれば、男性用失禁パッドは、男性器を収容した状態で着用者の股間に好適に収まりやすくなる。なお、本体部が陰茎と陰嚢を収容するものである場合、陰茎と陰嚢の全体が本体部の内側に収容される必要はなく、例えば、陰嚢の一部がはみ出てもよい。すなわち、本体部は陰茎と陰嚢の一部または全部を覆うものであればよい。
【００１８】
本体部のカップ形状としては、カップ形状の開口で断面が最も大きく、カップ形状の開口から底部に向かって断面の大きさが徐々に小さくなるものが好ましい。なお前記断面とは、本体部の外側面により形成される断面を意味する。また、カップ形状の最底部は、着用者が男性用失禁パッドを着用した状態で、男性用失禁パッドの上下方向の中心より下側に位置することが好ましい。本体部がこのような形状を有していれば、本体部に男性器を好適に収容しやすくなり、特に陰茎と陰嚢の両方を好適に収容しやすくなる。
【００１９】
本体部は、１つの層から構成されていてもよく、複数の層から構成されていてもよい。本体部が１つの層から構成される場合は、本体部を構成する層は親水性あるいは液不透過性であることが好ましい。本体部が、例えば、複数の層として内層と外層とから構成される場合、内層は親水性であることが好ましく、外層は液不透過性であることが好ましい。内層が親水性で外層が液不透過性であれば、不用意に排泄された尿が内層で吸収されて、内層で吸収された尿は外層の外側に漏れることが防止される。なお、内層とは着用者の肌に面する側に設けられる層であり、外層とは、前記内層より外側、すなわち着用者の肌とは反対側に設けられる層を意味する。本体部が複数の層から構成される場合、本体部は、内層と外層に加えさらに別の層を有していてもよい。本発明において、「親水性」には液透過性の意味も含まれ、「液不透過性」には撥水性の意味も含まれる。本体部は、例えば、不織布、織布、編布、プラスチックフィルム等で構成されていればよい。
【００２０】
本体部には、液吸収体が備えられていてもよい。液吸収体は、例えば、液不透過性の層の内側に設けられたり、親水性の内層と液不透過性の外層の間に設けられたりする。本体部に液吸収体が備えられていれば、着用者から多量の尿が排泄されても、尿を外層の外側に漏らすことなく、液吸収体に尿を固定することができる。
【００２１】
ウィング部は本体部の一部から延在する部分であり、略平面状に形成されることが好ましい。略平面状に形成されたウィング部は、着用者が男性用失禁パッドを着用した際、着用者の肌とパンツとの間に挟まれ、その結果、男性用失禁パッドが着用者の股間でずれにくくなる。ウィング部は、完全な平面状に形成されていてもよく、多少湾曲して（窪んで）形成されていてもよい。例えば、ウィング部が骨盤（特に腸骨）の前側の部分に当てられるような場合は、当該部分へのフィット性を高めるために、ウィング部が多少湾曲していてもよい。
【００２２】
ウィング部の形状（平面形状）は特に限定されないが、本体部から放射方向に長い形状であることが好ましい。
【００２３】
ウィング部は、着用者が男性用失禁パッドを着用した際、男性器の左右両側に当てられるように設けられることが好ましく、従って、ウィング部は本体部の両側から着用者の左右方向にそれぞれ延在することが好ましい。このとき、ウィング部は、本体部の両側（着用者の左右方向に対する両側）に端を発すればよく、ウィング部が本体部の両側から延在する方向は、厳密に着用者の左右方向に限らず、左上方向や右上方向、または左下方向や右下方向でもよい。このようにウィング部が設けられていれば、ウィング部が着用者の肌とパンツとの間で好適に固定され、男性用失禁パッドが着用者の股間でずれにくくなる。また、ウィング部をつまみながら男性用失禁パッドを装着することで、男性用失禁パッドが装着しやすくなる。
【００２４】
本体部の両側から着用者の左右方向に延在するウィング部は、好ましくは、着用者の左上方向または右上方向に延在する。すなわち、１つのウィング部が着用者の左上方向に延在し、別の１つのウィング部が着用者の右上方向に延在することが好ましい。このようにウィング部が延在していれば、ウィング部を着用者のそけい部に沿って当てやすくなり、着用者が歩行等して脚を動かしても男性用失禁パッドが着用者の股間でずれにくくなる。
【００２５】
ウィング部は、着用者の前側に当てられ、着用者の背側まで延在しないものであることが好ましい。ウィング部が着用者の背側まで延在するものであれば、ウィング部が長すぎて男性用失禁パッドが着用者の股間でずれやすくなる。しかし、ウィング部が着用者の前側に当てられ、着用者の背側まで延在しないものであれば、ウィング部は着用者の肌とパンツとの間に好適に固定されやすくなる。なお着用者の前側と背側とはそれぞれ、着用者の前側半分の領域と後側半分の領域を意味する。
【００２６】
ウィング部は、肌側面（着用者の肌に面する側の表面）がエンボス加工されていることが好ましい。ウィングの肌側面がエンボス加工されていれば、ウィング部と肌との間の摩擦が増えて、ウィング部が肌に対し滑りにくくなる。
【００２７】
ウィング部は、１つの層から構成されていてもよく、複数の層から構成されていてもよい。ウィング部は、親水性であっても液不透過性であってもよい。ウィング部は、例えば、不織布、織布、編布、プラスチックフィルム等で構成されていればよい。
【００２８】
ウィング部は、本体部と一体化して形成されていてもよく、本体部とは別部材として本体部に取り付けられていてもよい。前者の場合において、本体部が複数の層から構成される場合は、ウィング部は、本体部を構成する少なくとも１つの層と一体化されていればよい。なおウィング部が本体部と一体化しているとは、ウィング部を構成する少なくとも１つの部材と本体部を構成する少なくとも１つの部材とが同一部材から構成されることを意味する。ウィング部と本体部が完全に同一部材から構成される場合は、男性器を収容する部分を本体部とし、着用者の肌とパンツの間に挟まれ略平面状に形成される部分をウィング部と見なせばよい。
【００２９】
ウィング部は、着用者が男性用失禁パッドを着用した際、着用者の肌と接する面積をできるだけ広くすることが好ましい。ウィング部と着用者の肌との接触面積が広くなれば、男性用失禁パッドが着用者の肌とパンツとの間で好適に固定されやすくなる。このような観点から、ウィング部はカップ形状の本体部の外縁かそれに近い箇所から延在することが好ましい。
【００３０】
男性用失禁パッドを構成する材料について説明する。本体部やウィング部を構成する親水性の材料としては、例えば、セルロース、レーヨン、コットン等の親水性繊維から形成された不織布；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等が挙げられる。本体部やウィング部を構成する液不透過性の材料としては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等が挙げられる。親水性または液不透過性の不織布としては、スパンボンド法、エアスルー法、ポイントボンド法、メルトブロー法、エアレイド法やそれらの製法の組み合わせ（例えば、ＳＭＳ法）等により製造された不織布を用いればよい。
【００３１】
男性用失禁パッドに液吸収体が備えられる場合、液吸収体は、尿等を吸収できる吸収性材料を含むものであれば特に限定されない。液吸収体としては、例えば、吸収性材料を所定形状に成形した成形体を用いたり、あるいは吸収性材料を紙（例えば、ティッシュペーパーや薄葉紙）や液透過性不織布等のシート部材で覆ったものを用いることができる。液吸収体に含まれる吸収性材料としては、例えば、粉砕したパルプ繊維、セルロース繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等の体液との親和性を高めるために、界面活性剤等により親水化処理が施されていてもよい。
【００３２】
吸収性材料は、尿等を速やかに吸収できるようにするために親水性繊維を含むことが好ましい。また、液吸収体の吸収容量を高める点からは、吸収性材料は吸水性樹脂を含むことが好ましい。吸収性材料は、例えば、親水性繊維の集合体に吸水性樹脂を混合または散布したものを用いればよい。
【００３３】
液吸収体としては吸水性樹脂のみを用いてもよい。あるいは、液吸収体は、不織布間に吸水性樹脂を有しパルプ繊維を有しないシート状吸収体であってもよい。シート状吸収体は不織布間に吸水性樹脂を有するため、高い吸収容量を実現できる。また、シート状吸収体は不織布間にパルプ繊維を有しないため、嵩張らず薄型に形成することができるとともに、柔軟に形成することができる。
【００３４】
シート状吸収体に用いられる不織布は液透過性であり、そのような不織布としては、例えば、セルロース、レーヨン、コットン等の親水性繊維；ポリオレフィン（例えば、ポリプロピレン、ポリエチレン）、ポリエステル（例えば、ＰＥＴ）、ポリアミド（例えば、ナイロン）等の疎水性繊維を界面活性剤で親水化したものを用いればよい。シート状吸収体に用いられる不織布としては、比較的薄くて柔軟性の高い不織布が好ましく、例えば、スパンボンド不織布、ポイントボンド不織布、メルトブロー不織布、またはＳＭＳ不織布を用いることが好ましい。
【００３５】
次に、本発明の男性用失禁パッドの様々な実施態様について、図面を参照して説明する。なお本発明は、図面に示された実施態様に限定されるものではない。
【００３６】
図１および図２には、本発明の男性用失禁パッドの第１実施態様を示す。第１実施態様にかかる男性用失禁パッドは、本体部が１つの層から構成され、本体部とウィング部が一体化して形成されたものである。図１は第１実施態様にかかる男性用失禁パッドの斜視図を表し、図２は第１実施態様にかかる男性用失禁パッドの平面図を表す。図２は、男性用失禁パッドの着用者の肌に面する側を表している。本願において、斜視図では図の上側が着用者に対する上方向を表し、平面図では図の上側が着用者に対する上方向を表し、図の右側および左側がそれぞれ着用者に対する右方向と左方向を表す。
【００３７】
男性用失禁パッド１は、カップ形状に形成された本体部２と、本体部２の一部から延在するウィング部３を有する。図１および図２では、本体部２とウィング部３が点線で区分されて表示されている。図１および図２に示した男性用失禁パッド１では、本体部２とウィング部３が一体形成され、本体部２の外縁の一部からウィング部３が延在している。
【００３８】
ウィング部３は、本体部２の両側から着用者の左右方向に延在するウィング部３Ａ，３Ｂと、本体部２から着用者の上方向に延在するウィング部３Ｃとから構成されている。ウィング部３Ｃは、男性用失禁パッド１の装着時に、着用者の肌とパンツとの間で男性用失禁パッド１を大まかに位置決めするのに便利なように、つまんで使用するためのものである。男性用失禁パッド１を装着すると、ウィング部３Ａ、３Ｂは着用者の肌とパンツとの間に挟まれることにより好適に固定され、男性用失禁パッド１が着用者の股間でずれにくくなる。ウィング部３Ａ，３Ｂは着用者の背側までは延在しない程度の長さで形成されており、そのため、ウィング部３Ａ，３Ｂは、着用者の前側で、着用者の肌とパンツとの間に好適に固定されるようになる。
【００３９】
ウィング部３Ａは着用者の左上方向に延在し、ウィング部３Ｂは着用者の右上方向に延在している。男性用失禁パッド１を着用すると、ウィング部３Ａ，３Ｂが着用者のそけい部に沿って当てられ、着用者が歩行等して脚を動かしても男性用失禁パッド１が着用者の股間でずれにくくなる。
【００４０】
図３および図４には、本発明の男性用失禁パッドの第２実施態様を示す。第２実施態様にかかる男性用失禁パッドは、本体部とウィング部が別部材から構成されるものである。図３は第２実施態様にかかる男性用失禁パッドの斜視図を表し、図４は第２実施態様にかかる男性用失禁パッドの平面図を表す。図４は、男性用失禁パッドの着用者の肌に面する側を表している。なお下記の説明において、第１実施態様と重複する部分の説明は省略する。
【００４１】
第２実施態様にかかる男性用失禁パッド１では、本体部２とウィング部３が別部材から構成されている。ウィング部３は、本体部２の外側に、本体部２の両側から着用者の左右方向に延在するように取り付けられている。図３では、ウィング部３が本体部２の外縁の近くから延在しているが、ウィング部３が本体部２とは別部材で構成される場合、ウィング部３は本体部２の外縁の５０ｍｍ以内に設けられることが好ましく、２０ｍｍ以内に設けられることがより好ましい。なお、図３および図４では本体部２は１つの層から構成されているが、本体部２は複数の層から構成されていてもよい。
【００４２】
図５および図６には、本発明の男性用失禁パッドの第３実施態様を示す。第３実施態様にかかる男性用失禁パッドは、本体部が内層と外層から構成され、ウィング部が本体部の外層と一体化して形成されたものである。図５は第３実施態様にかかる男性用失禁パッドの斜視図を表し、図６は第３実施態様にかかる男性用失禁パッドの平面図を表す。図６は、男性用失禁パッドの着用者の肌に面する側を表している。なお下記の説明において、第１実施態様と重複する部分の説明は省略する。
【００４３】
第３実施態様にかかる男性用失禁パッド１において、本体部２は内層４と外層７から構成され、ウィング部３は外層７が延在して形成されている。このとき、内層４は親水性であることが好ましく、外層７は液不透過性であることが好ましい。このように本体部２が形成されていれば、着用者から不用意に排泄された尿が内層４で吸収され、内層４で吸収された尿は外層７の外側に漏れることが防止される。また、ウィング部３が、外層７が延在することにより形成されているため、ウィング部３を本体部２と一体化して扱いやすくなるとともに、本体部２の内層４が尿を吸収してもウィング部３がドライに保たれやすくなる。
【００４４】
第３実施態様にかかる男性用失禁パッド１において、内層４は、周縁部が外層７と接合し、周縁部の内方にある中央部が外層７に対し移動可能に形成されていてもよい。すなわち、内層４の中央部が外層７と直接接合されず、例えば、内層４の中央部と外層７の間に空間が形成されるようにしたり、内層４と外層７の間にクッション材が設けられたり、内層４の中央部と外層７とが接する部分を少なくして、内層４の中央部が外層７に対して移動しやすくなるように形成されていることが好ましい。このように内層４と外層７が形成されていれば、内層４の男性器へのフィット性が高められる。
【００４５】
図７〜図９には、本発明の男性用失禁パッドの第４実施態様を示す。第４実施態様にかかる男性用失禁パッドは、第３実施態様にかかる男性用失禁パッドに対し、本体部の内層が２つの層から構成されたものである。図７は第４実施態様にかかる男性用失禁パッドの斜視図を表し、図８は第４実施態様にかかる男性用失禁パッドの平面図を表し、図９は図８に示した男性用失禁パッドのＡ−Ａ断面図を表す。図８は、男性用失禁パッドの着用者の肌に面する側を表している。なお下記の説明において、第３実施態様と重複する部分の説明は省略する。
【００４６】
第４実施態様にかかる男性用失禁パッド１において、本体部２の内層４は、第１内層５と、第１内層５の外側に設けられた第２内層６を有している。このように内層は複数の層から構成されていてもよい。また図には示されていないが、外層も複数の層から構成されていてもよい。
【００４７】
内層４が第１内層５と第２内層６を有する場合、第１内層５が、スパンボンド不織布、ポイントボンド不織布、メルトブロー不織布、ＳＭＳ不織布、または有孔プラスチックフィルムから構成され、第２内層６が、エアスルー不織布またはエアレイド不織布から構成されることが好ましい。エアスルー不織布やエアレイド不織布は嵩高く、繊維間隙に比較的多量の尿を保持することができるため、第２内層６がエアスルー不織布またはエアレイド不織布から構成されていれば、第２内層６により尿が好適に保持されるようになる。一方、スパンボンド不織布、ポイントボンド不織布、メルトブロー不織布、ＳＭＳ不織布、または有孔プラスチックフィルムは比較的表面が平滑であるため、このような材料を第１内層５に用いれば、第１内層５に男性器が接触してもむずがゆさや痛みを覚えにくくなり、男性器に対する感触が良好となる。
【００４８】
第２内層６は、図７〜図９に示すように、内層４の一部の領域に設けられることが好ましい。特に第２内層６は、内層４が外層７と接合されない中央部の一部の領域に設けられることが好ましい。このように内層４が形成されれば、内層４は、第２内層６が設けられた部分の剛性が高くなるのに対し、第２内層６が設けられない部分は剛性が低くなりやすくなり、内層４において剛性の異なる部分が形成されやすくなる。その結果、内層４の中央部が外層７に追従しにくくなり、内層４の中央部が外層７に対し自由に動きやすくなる。その結果、内層４の男性器へのフィット性を高めやすくなる。第２内層６は、内層４の男性器へのフィット性をさらに高める点から、内層４の中央部において２以上に分割して設けられることが好ましい。
【００４９】
第２内層６の外側には、さらに第３内層を設けてもよい。例えば、エアスルー不織布またはエアレイド不織布から構成される第２内層を第１内層と第３内層の間に配してもよい。このとき第３内層としては、第１内層に使用可能な材料を用いればよい。
【００５０】
図１０〜図１２には、本発明の男性用失禁パッドの第５実施態様を示す。第５実施態様にかかる男性用失禁パッドは、第３実施態様にかかる男性用失禁パッドにおいて、内層と外層の間に液吸収体が設けられたものである。図１０は第５実施態様にかかる男性用失禁パッドの斜視図を表し、図１１は第５実施態様にかかる男性用失禁パッドの平面図を表し、図１２は図１１に示した男性用失禁パッドのＢ−Ｂ断面図を表す。図１１は、男性用失禁パッドの着用者の肌に面する側を表している。なお下記の説明において、第３実施態様と重複する部分の説明は省略する。
【００５１】
第５実施態様にかかる男性用失禁パッド１では、内層４と外層７の間に液吸収体８が設けられている。着用者から排泄された尿は、少量であれば内層４でも保持され得るが、多量であれば内層４を通過して液吸収体８により吸収され固定される。その結果、尿が外層７の外側に漏れるのが防止される。
【００５２】
液吸収体８としては、不織布間に吸水性樹脂を有しパルプ繊維を有しないシート状吸収体であることが好ましい。シート状吸収体は不織布間に吸水性樹脂を有するため、高い吸収容量を実現できる。また、シート状吸収体は不織布間にパルプ繊維を有しないため、嵩張らず薄型に形成することができるとともに、柔軟に形成することができる。そのため、本体部２の厚みを薄く形成することができる。またシート状吸収体を内層４の外側に直接取り付けても、内層４を柔軟に形成することができ、内層４の男性器へのフィット性を高めやすくなる。
【００５３】
本発明においては、第４実施態様と第５実施態様を組み合わせて男性用失禁パッドを構成してもよい。すなわち、内層を第１内層と第２内層から構成し、さらに内層（具体的には第２内層）と外層の間に液吸収体を設けてもよい。
【００５４】
図１３には、本発明の男性用失禁パッドの第６実施態様を示し、図１４には、本発明の男性用失禁パッドの第７実施態様を示す。第６および第７実施態様にかかる男性用失禁パッドは、第３実施態様にかかる男性用失禁パッドの変形例を表し、第３実施態様にかかる男性用失禁パッドとはウィング部の形状が異なる。図１３は第６実施態様にかかる男性用失禁パッドの平面図を表し、図１４は第７実施態様にかかる男性用失禁パッドの平面図を表している、図１３および図１４は、男性用失禁パッドの着用者の肌に面する側を表している。なお下記の説明において、第３実施態様と重複する部分の説明は省略する。
【００５５】
図１３に示した男性用失禁パッド１では、ウィング部３が、本体部２の両側から着用者の左右方向に延在するウィング部３Ｄ，３Ｅと、本体部２から着用者の上方向に延在する３Ｃとから構成されている。ウィング部３Ｃについては上記に既に説明した通りである。ウィング部３Ｄは着用者のほぼ左方向に延在し、ウィング部３Ｅは着用者のほぼ右方向に延在している。このようにウィング部３Ｄ，３Ｅが形成されていても、ウィング部が着用者の肌とパンツとの間で固定される効果はある程度得られる。なおこの場合、ウィング部３Ｄ，３Ｅの長さは、着用者の股間で邪魔にならないように、第３実施態様にかかる男性用失禁パッドのウィング部３Ａ，３Ｂよりも短くすることが好ましい。
【００５６】
図１４に示した男性用失禁パッド１では、ウィング部３が、本体部２の両側から着用者の左右方向に延在するウィング部３Ａ，３Ｂ，３Ｆ，３Ｇと、本体部２から着用者の上方向に延在する３Ｃとから構成されている。ウィング部３Ｃについては上記に既に説明した通りである。ウィング部３Ａは着用者の左上方向に延在し、ウィング部３Ｂは着用者の右上方向に延在し、ウィング部３Ｆは着用者の左下方向に延在し、ウィング部３Ｇは着用者の右下方向に延在している。男性用失禁パッド１を着用すると、ウィング部３Ａとウィング部３Ｆが着用者の左脚周りを部分的に取り囲み、ウィング部３Ｂとウィング部３Ｇが着用者の右脚周りを部分的に取り囲む。このようにウィング部３が形成されていても、ウィング部３によって男性用失禁パッド１が着用者の股間でずれにくくなる。
【００５７】
上記では、第６および第７実施態様は第３実施態様の変形例として説明したが、第６および第７実施態様のようなウィング部の形状は、第３実施態様以外の実施態様に適用することも可能である。
【符号の説明】
【００５８】
１：  男性用失禁パッド
２：  本体部
３：  ウィング部
４：  内層
５：  第１内層
６：  第２内層
７：  外層
８：  液吸収体
【図１】
0005796803.tif 000002
【図２】
0005796803.tif 000003
【図３】
0005796803.tif 000004
【図４】
0005796803.tif 000005
【図５】
0005796803.tif 000006
【図６】
0005796803.tif 000007
【図７】
0005796803.tif 000008
【図８】
0005796803.tif 000009
【図９】
0005796803.tif 000010
【図１０】
0005796803.tif 000011
【図１１】
0005796803.tif 000012
【図１２】
0005796803.tif 000013
【図１３】
0005796803.tif 000014
【図１４】
0005796803.tif 000015